(57)【特許請求の範囲】
【請求項１】
記憶部に相手先毎に名前や電話番号を格納した電話帳を備えた電話機において、
発信元の電話番号である発番号を記憶する発番号記憶部、発サブアドレス番号を記憶する発サブアドレス番号記憶部、相手の電話番号である着番号を記憶する着番号記憶部、及び着サブアドレス番号を記憶する着サブアドレス番号記憶部を具備する着信記憶部と、着サブアドレス番号記憶部に少なくとも置換の機能を指示する機能番号を格納した機能番号表を設けると共に、前記電話帳に相手先毎に名前を記憶する名前記憶部、電話番号を記憶する電話番号記憶部、変更番号を記憶する変更番号記憶部、自動変更可／否のフラグを記憶する自動変更可／否フラグ記憶部を設け、
着信時に受信した前記発信元からの発番号、発サブアドレス番号、着番号、及び着サブアドレス番号を前記着信記憶部の発番号記憶部、発サブアドレス番号記憶部、着番号記憶部及び着サブアドレス番号記憶部にそれぞれ記憶すると共に、着サブアドレス番号記憶部に記憶されている電話番号に対して置換を指示する場合、前記発番号が前記電話帳に登録済みであるかを調べ、
登録済みでなかった場合前記着サブアドレス番号記憶部に記憶されている電話番号が電話帳に登録済みか否かを調べ、登録済みであった場合前記自動変更可／否フラグ記憶部のフラグが自動変更可であるかを調べ、自動変更可の場合は前記電話番号記憶部の電話番号を前記変更番号記憶部に前記発番号記憶部の発番号を前記電話番号記憶部に記憶し、
登録済みである場合前記自動変更可／否フラグ記憶部のフラグが自動変更可であるかを調べ、自動変更可である場合は前記電話番号記憶部の電話番号を前記変更番号記憶部に前記着サブアドレス番号記憶部の電話番号を前記電話番号記憶部に記憶する手段を設けたことを特徴とする電話機。
【請求項２】
請求項１に記載の電話機において、
前記電話帳の各電話番号毎に有効期限を設定する有効期限設定部を設け、
前記電話番号の有効期限が超過した場合、自動的に当該電話番号を削除するか又は変更前の電話番号に戻す手段を設けたことを特徴とする電話機。
【発明の詳細な説明】
【０００１】
【発明の属する技術分野】
本発明は電話機の記憶部に記憶されている電話帳を他の電話機から書替えることを可能にした電話機に関するものである。
【０００２】
【従来の技術】
従来、この種の技術としては、特開平１０−１４５８５７号公報に開示された「着信記録発振機能付電話機」がある。この電話機は着信に対して応答出来ない状態の場合、着信信号の着サブアドレス番号に含まれる付加番号と予め設定されている電話番号を照合し、一致すれば記憶しておき、応答可能な状態になったとき表示し、簡単な操作で前記電話番号（付加番号）へ発信する機能を設けたものである。また、この他に着信時に到来する発信者番号（以下発番号という）を着信した電話機の電話帳等に記録するものがあった。
【０００３】
【発明が解決しようとする課題】
しかしながら、上述した従来の方法では、相手方の電話番号が変更された場合（引っ越しや携帯電話またはＰＨＳ端末の事業者を変更した場合等）には、当方では着信記録を見たり、相手から電話番号を聞いて電話帳に記録してある番号を自分で修正したり、または新規に登録した後、古い番号を消去する必要があった。この際、聞き間違いや入力操作ミスにより、間違った電話番号を記録してしまう恐れがある。
【０００４】
また、相手方が出張等で一定期間だけ他の電話を使用する場合、当方では新規に電話帳に登録し、期間が過ぎた時に削除する必要があり、非常に煩わしく操作ミス等により消去したり、間違った電話番号を記憶してしまう恐れがあるという問題があった。
【０００５】
本発明は上述の点に鑑みてなされたもので、上記問題点を除去するために着サブアドレスにデータを設定することにより、記憶されている電話帳を他の電話機から書き替える機能を有する電話機を提供することを目的とする。
【０００６】
【課題を解決するための手段】
上記課題を解決するため請求項１に記載の発明は、記憶部に相手先毎に名前や電話番号を格納した電話帳を備えた電話機において、発信元の電話番号である発番号を記憶する発番号記憶部、発サブアドレス番号を記憶する発サブアドレス番号記憶部、相手の電話番号である着番号を記憶する着番号記憶部、及び着サブアドレス番号を記憶する着サブアドレス番号記憶部を具備する着信記憶部と、着サブアドレス番号記憶部に少なくとも置換の機能を指示する機能番号を格納した機能番号表を設けると共に、電話帳に相手先毎に名前を記憶する名前記憶部、電話番号を記憶する電話番号記憶部、変更番号を記憶する変更番号記憶部、自動変更可／否のフラグを記憶する自動変更可／否フラグ記憶部を設け、着信時に受信した発信元からの発番号、発サブアドレス番号、着番号、及び着サブアドレス番号を着信記憶部の発番号記憶部、発サブアドレス番号記憶部、着番号記憶部及び着サブアドレス番号記憶部にそれぞれ記憶すると共に、着サブアドレス番号記憶部に記憶されている電話番号に対して置換を指示する場合、発番号が前記電話帳に登録済みであるかを調べ、登録済みでなかった場合着サブアドレス番号記憶部に記憶されている電話番号が電話帳に登録済みか否かを調べ、登録済みであった場合自動変更可／否フラグ記憶部のフラグが自動変更可であるかを調べ、自動変更可の場合は電話番号記憶部の電話番号を変更番号記憶部に発番号記憶部の発番号を電話番号記憶部に記憶し、登録済みである場合自動変更可／否フラグ記憶部のフラグが自動変更可であるかを調べ、自動変更可である場合は電話番号記憶部の電話番号を変更番号記憶部に前記着サブアドレス番号記憶部の電話番号を前記電話番号記憶部に記憶する手段を設けたことを特徴とする。
【０００８】
請求項２の記載の発明は、請求項１に記載の電話機において、電話帳の各電話番号毎に有効期限を設定する有効期限設定部を設け、電話番号の有効期限が超過した場合、自動的に当該電話番号を削除するか又は変更前の電話番号に戻す手段を設けたことを特徴とする。
【０００９】
【発明の実施の形態】
以下、本発明の実施の形態例を図面に基づいて詳細に説明する。図１は本発明の電話機（ＰＨＳ端末）による通信システムの構成例を示す図である。図示するように、ＰＨＳ端末１からＰＨＳ端末５に発信する場合、発信者は着信者番号（相手の電話番号）及び着サブアドレス番号（詳細後述）をキーボード１−３を操作して入力し、発信操作を行なうことにより、信号は電波信号としてＰＨＳ端末１のアンテナ１−１から発信され、アンテナ２−１を介して基地局２で受信復調される。続いて、交換器３で所定の回線が選択され、信号は基地局４のアンテナ４−１より所定の電波信号で送信されアンテナ５−１を介してＰＨＳ端末５へ着信し、呼び出し音を鳴動させる。
【００１０】
図２はＰＨＳ端末のメモリに格納されている情報を示す図である。ＰＨＳ端末のメモリには、図２（ａ）の発信記憶部１０、図２（ｂ）の着信記憶部２０、図２（ｃ）の電話帳３０、図２（ｄ）の機能番号表４０が格納されている。
【００１１】
発信記憶部１０には図２（ａ）に示すように、発信元のＰＨＳ端末の電話番号である発番号を記憶する発番号記憶部１１、発サブアドレス番号を記憶する発サブアドレス番号記憶部１２、相手のＰＨＳ端末の電話番号である着信者番号（以下「着番号」という）を記憶する着番号記憶部１３及び着サブアドレス番号を記憶する着サブアドレス番号記憶部１４（詳細後述）が設けられる。また、着信記憶部２０には図２（ｂ）に示すように、発信元から送られてきた発番号を記憶する発番号記憶部２１、発サブアドレス番号を記憶する発サブアドレス番号記憶部２２、着番号を記憶する着番号記憶部２３及び着サブアドレス番号を記憶する着サブアドレス番号記憶部２４が設けられる。
【００１２】
電話帳３０には図２（ｃ）に示すように、相手先の名前１、２・・・・を記憶する名前記憶部３１、電話番号１、２・・・・を記憶する電話番号記憶部３２、変更番号１、２・・・・を記憶する変更番号記憶部３３、自動変更の可／否（フラッグ）及び電話番号の有効期限を記録する自動変更可／否及び有効期限記憶部３４（詳細後述）が設けられる。機能番号表４０には図２（ｄ）に示すように、機能番号「１」（置換）を記憶する機能番号記憶部４１、機能番号「２」（変換）を記憶する機能番号記憶部４２、機能番号「３」（追加）を記憶する機能番号記憶部４３、機能番号「４」（削除）を記憶する機能番号記憶部４４が設けられている。
【００１３】
上記機能番号表４０はＰＨＳ端末を操作する際、動作機能（電話帳の場合、電話番号の置換、変換、追加、削除など）を指定するためのもので、キーボードより該当する番号を入力することにより、その機能が動作するようになっている。使用者は電話帳３０から送信相手の名前を選択することにより簡単な操作で発信することもできる。
【００１４】
図１において、ＰＨＳ端末１からの発信の際、発信記録部１０の発番号記憶部１１、発サブアドレス番号記憶部１２、着番号記憶部１３及び着サブアドレス番号記憶部１４にそれぞれ、発番号、発サブアドレス番号、着番号及び着サブアドレス番号が記録され発信される。ＰＨＳ端末５の着信記憶部２０にはＰＨＳ端末１から送られてきた発番号、発サブアドレス番号、着番号及び着サブアドレス番号がそれぞれ発番号記憶部２１、発サブアドレス番号記憶部２２、着番号記憶部２３及び着サブアドレス番号記憶部２４に記憶される。
【００１５】
図３は着信信号に含まれる着番号と着サブアドレス番号を表す図である。着番号（Ｇ−Ｈ−Ｉ）は着信側（図１の場合はＰＨＳ端末５）の電話番号であり、着サブアドレス番号は機能番号（Ｊ）と相手に通知するデータ（Ｋ−Ｌ−Ｍ  この場合は電話番号）であり、共にＰＨＳ端末１（図１の場合）のキーボード１−３から送信者により入力され発信される。
【００１６】
図４及び図５は本発明の電話機における電話帳書替え機能の処理フローを示す図である。図１において、ＰＨＳ端末５の制御部（図示せず）は着信があるか否を調べ（ステップＳＴ１）、着信があった場合、着信信号に着サブアドレス番号があるか否かを判断し（ステップＳＴ２）、着サブアドレス番号があると、着信記憶部２０の着サブアドレス番号記憶部２２に記憶されている着サブアドレス番号の機能番号（Ｊ）と機能番号表４０の先頭の機能番号記憶部４１に記憶している機能番号「１」を照合し（ステップＳＴ３）、一致するか否かを調べる（ステップＳＴ４）。
【００１７】
ここでは機能番号（Ｊ）の「１」と機能番号記憶部４１の機能番号「１」が一致するから、次に着信記憶部２０の発番号記憶部２１に記憶されている発番号が電話帳３０に登録済か否かを調べ（ステップＳＴ５）、電話帳３０に登録済でなかったら、制御部は次に着信記憶部２０の着サブアドレス番号記憶部２４に記憶されている旧電話番号（Ｋ−Ｌ−Ｍ）が電話帳３０に登録されているか否かを調べ（ステップＳＴ６）、登録済であった場合、電話帳３０の自動変更可／否及び有効期限記憶部３４のデータが自動変更可「１」であるか否かを調べ（ステップＳＴ７）、自動変更可「１」であったら登録済の電話帳３０の電話番号記憶部３２の電話番号を変更番号記憶部３３へ、着信記憶部２０の発番号記憶部２１の発番号を電話帳３０の電話番号記憶部３２に記憶する（ステップＳＴ８）。
【００１８】
前記ステップＳＴ７において、自動変更不可であったら、着信記憶部２０の発番号記憶部２１の発番号を電話帳３０の変更番号記憶部３３に記憶する（ステップＳＴ９）。
【００１９】
前記ステップＳＴ５において、発番号が電話帳３０に登録済みである場合、電話帳３０の自動変更可／否及び有効期限記憶部３４が自動変更可「１」であるか否かを調べ（ステップＳＴ１０）、自動変更可「１」であったら、登録済みの電話帳３０の電話番号記憶部３２の電話番号を変更番号記憶部３３へ、着信記憶部２０の着サブアドレス番号記憶部２４に記憶されている着サブアドレス番号の電話番号（Ｋ−Ｌ−Ｍ）を電話帳３０の電話番号憶部３２に記憶する（ステップＳＴ１１）。前記ステップＳＴ１０において、自動変更不可の場合は、着信記憶部２０の着サブアドレス番号記憶部２４に記憶されている着サブアドレス番号内の電話番号（Ｋ−Ｌ−Ｍ）を変更番号記憶部３３へ記憶する（ステップＳＴ１２）。
【００２０】
ＰＨＳ端末５の表示器５−２に変更動作を行った名前を表示する。前記ステップＳＴ８、ＳＴ９、ＳＴ１１、ＳＴ１２に続いて、電話帳表示操作があるか否かを調べ（ステップＳＴ１３）、電話帳表示操作がある場合、続いて電話帳３０の変更が有るか否かを調べ（ステップＳＴ１４）、変更が有った場合は通常と異なる表示（電話番号と変更番号を一緒に表示）を行う（ステップＳＴ１５）。また、前記ステップＳＴ１３で電話帳表示操作がない場合及び前記ステップＳＴ１４で電話帳の変更がない場合は通常の表示を行う（ステップＳＴ１６）。
【００２１】
前記ステップＳＴ４において、着サブアドレス番号の機能番号（Ｊ）と先頭の機能番号記憶部４１の機能番号「１」が一致しない場合は、機能番号表４０の他の機能番号記憶部４２〜４４の機能番号と一致するものがあるか否かを調べ（ステップＳＴ１７）、一致する機能番号があったら一致した機能番号の処理を行い（例えば、変換、通知、削除の処理を行い）（ステップＳＴ１８）、前記ステップＳＴ１３に移行する。また、一致する機能番号がなかったら表示器５−２に通常の表示を行う（ステップＳＴ１６）。また、前記ステップＳＴ２において、着信信号に着サブアドレス番号がなかったら、通常の表示を行う（ステップＳＴ１６）。
【００２２】
なお、上記例では、電話帳３０で名前１件に対して電話番号と変更番号を一件ずつ記憶するようになっているが、名前１件に対して２件以上の電話番号を記憶できるようにしてもよい。この場合は機能番号表４０の機能番号３（追加）を使用することになる。更に、複数個の名前に同一の電話番号が記憶してある場合は全ての電話番号を一度に変更することもできるし、操作者が１件ずつ確認しながら変更することもできる。また、自動変更の可／否は一件ごとに設定できるが、全体をまとめて一度に設定することもできる。
【００２３】
また、上記例では電話機に内蔵されている電話帳の電話番号の変更について述べているが、電話帳に限定されるものではない。又、着サブアドレス番号に機能番号＋電話番号以外（例えば文字コード等）が通知されてきた場合は発番号と一致する電話番号の名前や有効期限を変更することもできるので電話番号の変更に限定されるものではない。
【００２４】
上述したように本発明の実施の形態例によればＰＨＳ端末の電話帳３０に登録されている電話番号に対し、着サブアドレスを使用して発信側のＰＨＳ端末１から受信側ＰＨＳ端末５の電話帳３０の該電話番号を指定することにより、該当する個所を直接変更することができるので、電話番号等の変更通知の際、聞き取りミスや誤操作による間違いが少なくなる。また、有効期限を設けることにより、期限超過のとき、自動的に元の電話番号に復元するので電話帳書替の煩わしさがなくなり間違い電話の回数も減少する。更に、電話番号ごとに自動変更の可／否を設定できるので必要に応じて電話番号変更の確認等を行なうことができる。
【００２５】
なお、上記例ではＰＨＳ端末を例に説明したが、ＰＨＳ端末に限定されものではなく、本発明は携帯電話機等メモリに電話帳を記憶している電話機において適用できる。
【００２６】
【発明の効果】
以上説明したように各請求項に記載の発明によれば下記のような優れた効果が期待される。
【００２７】
請求項１の発明によれば、着信時に受信した発信元からの発番号、発サブアドレス番号、着番号、及び着サブアドレス番号を着信記憶部の発番号記憶部、発サブアドレス番号記憶部、着番号記憶部及び着サブアドレス番号記憶部にそれぞれ記憶すると共に、着サブアドレス番号記憶部に記憶されている電話番号に対して置換を指示する場合、発番号が電話帳に登録済みであるかを調べ、登録済みでなかった場合着サブアドレス番号記憶部に記憶されている電話番号が電話帳に登録済みか否かを調べ、登録済みであった場合自動変更可／否フラグ記憶部のフラグが自動変更可であるかを調べ、自動変更可の場合は電話番号記憶部の電話番号を変更番号記憶部に発番号記憶部の発番号を電話番号記憶部に記憶し、登録済みである場合自動変更可／否フラグ記憶部のフラグが自動変更可であるかを調べ、自動変更可である場合は電話番号記憶部の電話番号を変更番号記憶部に着サブアドレス番号記憶部の電話番号を電話番号記憶部に記憶する手段を設けたので、電話番号の変更の際、聞き取りミスや誤操作による間違いが少なくなる。また、電話番号の置換の場合、電話帳の電話番号記憶部に記憶されている電話番号を変更番号記憶部に移して記憶するので、例えば電話番号を元の番号に復元する場合等に利用できる。
【００２９】
また、請求項２の発明によれば、電話番号の有効期限が超過した場合、自動的に当該電話番号を削除するか又は変更前の電話番号に戻す手段を設けたので、電話帳書替の煩わしさがなくなり間違い電話の回数も減少する。
【図面の簡単な説明】
【図１】本発明の電話機（ＰＨＳ端末）による通信システムの構成例を示す図である。
【図２】ＰＨＳ端末のメモリに格納されている情報を示す図である。
【図３】着信信号に含まれる着番号と着サブアドレス番号を表す図である。
【図４】本発明の電話機における電話帳書替え機能の処理フローを示す図である。
【図５】本発明の電話機における電話帳書替え機能の処理フローを示す図である。
【符号の説明】
１          ＰＨＳ端末
１−１      アンテナ
１−２      表示器
１−３      キーボード
２          基地局
２−１      アンテナ
３          交換器
４          基地局
４−１      アンテナ
５          ＰＨＳ端末
５−１      アンテナ
５−２      表示器
５−３      キーボード
【図１】
0003801810.tif 000002
【図２】
0003801810.tif 000003
【図３】
0003801810.tif 000004
【図４】
0003801810.tif 000005
【図５】
0003801810.tif 000006